(57)【要約】【課題】地盤を掘削したり撹拌するような地盤を大きく乱すことをせずに汚染土壌からの汚染物質の溶出を低減させる方法を提供する。【解決手段】本発明の汚染土壌Ｃからの汚染物質の溶出低減方法は、帯水層Ａとその下の難透水層Ｂの境界に残留した汚染物質からなる汚染土壌Ｃを覆う状態でリン酸塩鉱物の膜３を形成して、汚染土壌Ｃからの汚染物質の溶出を低減させることを特徴としたものである。【選択図】図１
2015139735.tif 000002
【特許請求の範囲】
【請求項１】
帯水層とその下の難透水層の境界に残留した汚染物質からなる汚染土壌を覆う状態でリン酸塩鉱物の膜を形成して、
汚染土壌からの汚染物質の溶出を低減させることを特徴とする、
汚染土壌からの汚染物質の溶出低減方法。
【請求項２】
請求項１記載の方法において、
カルシウム溶液とリン酸溶液を地盤内で混合して行うことを特徴とする、
汚染土壌からの汚染物質の溶出低減方法。
【請求項３】
請求項１記載の方法において、
注入井戸の下部にのみスクリーンを設けて行うことを特徴とする、
汚染土壌からの汚染物質の溶出低減方法。
【発明の詳細な説明】
【技術分野】
【０００１】
本発明は汚染土壌から汚染物質が溶出する量を低減する方法に関するものである。
【背景技術】
【０００２】
揮発性有機化合物などの地下水汚染の問題を、大規模な土壌掘削をせずに改善する原位置対策が開発されている。
しかしその方法では、帯水層の下部の粘土層などの難透水層にまで浸みこんだ汚染物質への対策が容易ではなく、地下水対策が長期化するという問題があった。
その対策として、粘土層に不溶化剤を注入する方法も考えられるが、その場合には地下深くまでの大規模な工事が必要となる。
さらに関連する方法として下記の特許文献記載の方法が知られている。
【先行技術文献】
【特許文献】
【０００３】
【特許文献１】特表２０１０−５１７７５４号公報。
【特許文献２】特開２０１２−８１３８０号公報。
【特許文献３】特開２０１０−１７２０６０号公報。
【発明の概要】
【発明が解決しようとする課題】
【０００４】
前記した従来の汚染土壌からの汚染物質の溶出低減方法にあっては、次のような問題点がある。
＜１＞  特許文献１記載の発明の名称は「重金属で汚染された物質の処理方法」であり、具体的にはリン酸カルシウムゲルを生成し、これを汚染された物質と接触させて処理する方法である。この方法は不溶化剤の混合による不溶化を目的としており、汚染土壌を被覆することによる溶出の制御を目的としたものではない。そのためにゲルをあらかじめ作成して汚染土壌に混合または注入する方法であり、現地で実施する場合に土壌に掘削が必要であること、原位置で粘性土には注入できないこと、撹拌工法など大規模な改良工事が不可欠である、といった問題がある。
＜２＞  特許文献２記載の発明の名称は「フッ素汚染土壌の処理方法」であり、フッ素などの汚染土壌や廃棄物に不溶化剤を混合する方法であって、リン酸塩鉱物またはその一種であるアパタイトの高い吸着能力と安定性を利用した発明である。
＜３＞  特許文献３記載の発明の名称は「グラウトおよび地盤を固結する方法」であり、具体的には地盤中の微生物によって代謝分解されてアンモニアを発生させるアミノ酸、カルシウム塩ならびにリン酸および／またはリン酸塩を含んでなるグラウトに関するものである。このように特許文献３記載の発明は、アミノ酸、カルシウム塩、リン酸塩を用いて地盤を固結して地盤の強度の増加を目的とするもので、本発明の目的とは異なるものである。
【課題を解決するための手段】
【０００５】
上記のような課題を解決するために、本発明の汚染土壌からの汚染物質の溶出低減方法は、帯水層とその下の難透水層の境界に残留した汚染物質からなる汚染土壌を覆う状態でリン酸塩鉱物の膜を形成して、汚染土壌からの汚染物質の溶出を低減させることを特徴としたものである。
また本発明の方法は、上記の方法において、リン酸塩鉱物の膜を形成するために、カルシウム溶液とリン酸溶液を地盤内で混合して行うことを特徴としたものである。
また本発明の方法は、上記の方法において、カルシウム溶液とリン酸溶液を注入するために、注入井戸の下部にのみスクリーンを設けて行うことを特徴とするものである。
【発明の効果】
【０００６】
本発明の汚染土壌からの汚染物質の溶出低減方法は以上説明したようになるから次のような効果を得ることができる。
＜１＞  帯水層と難透水層の境界にある汚染土壌を、ゲル状の物質で被覆するため帯水層の底部の汚染源からの汚染物質の溶出を抑制することができ、地下水中の汚染物質濃度を低下することができる。
＜２＞  汚染土壌を被覆する膜の形成する工程を、薬液の注入のみによって行うことができるから、従来のように地盤を掘削したり撹拌するような地盤を大きく乱すことがない。
【図面の簡単な説明】
【０００７】
【図１】帯水層と難透水層との間に位置する汚染土壌の説明図。
【図２】汚染土壌をリン酸カルシウムゲルで被覆する状態の説明図。
【発明を実施するための形態】
【０００８】
以下図面を参照にしながら本発明の汚染土壌からの汚染物質の溶出低減方法の好適な実施の形態を詳細に説明する。
【実施例】
【０００９】
＜１＞前提条件。
本発明の方法を採用する対象となる状態は、帯水層Ａがあり、その下に難透水層Ｂが位置し、両層の境界に残留した汚染物質からなる汚染土壌Ｃが存在する地盤である。
汚染土壌Ｃとしては特に揮発性有機化合物などを対象とする。
このような揮発性有機化合物は、対策を施さない限り長年にわたって帯水層Ａに溶出を続ける。
【００１０】
＜２＞リン酸塩鉱物の膜の形成。
このように帯水層Ａとその下の難透水層Ｂの境界に残留した汚染物質からなる汚染土壌Ｃを覆う状態で、リン酸塩鉱物の膜３を形成することが本発明の特徴である。
その結果、リン酸塩鉱物の膜３によって、汚染土壌Ｃからの汚染物質の溶出を低減させることができる。
このように本発明の方法では地下水汚染の対策が長期化する原因となっている帯水層Ａと難透水層Ｂの境界に位置する汚染土壌Ｃからの汚染物質の溶出付加を低下させるものである。
前記したように、従来は汚染土壌Ｃを取り除く方法や不溶化剤を混合する方法など、大掛かりな工事を必要とする対策しか存在しなかった。
それに対して本発明では、地盤の中でゲル化する薬剤を対象地域に注入して膜３によって被覆する方法を提案するものである。
【００１１】
＜３＞  使用する薬剤。
リン酸カルシウムゲルの膜３を生成させるための薬剤は２種類である。
すなわちカルシウム溶液１とリン酸溶液２である。
カルシウム溶液１としては、例えば塩化カルシウムやクエン酸などを採用することができる。
リン酸溶液２としては、例えばリン酸水素二ナトリウムやリン酸トリナトリウムなどを採用することができる。
これらの溶液は地盤内に注入したあとゆっくりとリン酸カルシウムゲルを形成する。
【００１２】
＜４＞注入方法。
上記の薬剤、すなわちカルシウム溶液１とリン酸溶液２を注入するために、注入井戸４を帯水層Ａと難透水層Ｂとの境界付近まで掘削する。
そして井戸４の最深部にのみスクリーンを設け、帯水層Ａと難透水層Ｂの境界付近にのみ薬剤が注入できるように構成する。
あるいは薬液注入パイプの先端を帯水層Ａと難透水層Ｂとの境界付近まで挿入する。
そして注入井戸４の最深部、あるいは注入パイプの最深部からカルシウム溶液１とリン酸溶液２を注入する。
注入した薬液は帯水層Ａより下の粘土層などの難透水層Ｂには浸入しないから両層の間に広がるが、これが徐々にゲル化して汚染土壌Ｃの上面を被覆する膜３となる。
その場合にゲル化する速度は溶液の配合によって制御することは容易である。
【００１３】
＜５＞平面的対策。
一か所の注入井戸４や注入パイプを中心に、平面的に半径数メートの範囲の被覆膜３を形成することができる。
したがって複数の注入井戸４や注入パイプからの影響範囲を平面的にラップさせて注入作業を行うことで、広い範囲にわたって被覆する膜３を形成して汚染土壌Ｃからの汚染物質の溶出の低減を行うことができる。
【符号の説明】
【００１４】
１：カルシウム溶液
２：リン酸溶液
３：汚染土壌を被覆する膜
４：井戸
Ａ：帯水層
Ｂ：難透水層
Ｃ：汚染土壌
【図１】
2015139735.tif 000003
【図２】
2015139735.tif 000004